(57)【要約】【課題】本発明は、柔軟性及び可撓性に優れるトウからなる繊維集合体を用いる利点を損なわずに、吸収速度及び着用感が良好な吸収性物品を提供する。【解決手段】液透過性のトップシート１０と、液不透過性のバックシート２０と、トップシート１０及びバックシート２０の間に配置される吸収層と、を有する、吸収性物品であって、吸収層は、フラッフパルプと高吸収性ポリマーのうち、少なくともフラッフパルプを含有する第一の吸収性コア３１を備える第一の吸収体３０（上層吸収体）と、トウからなる繊維集合体と第二の高吸収性ポリマーを含有する第二の吸収性コア４１を備える第二の吸収体４０（下層吸収体）と、含み、各吸収性コア中の各部材の坪量及びその比率等を調整した、吸収性物品１を提供する。【選択図】図１
2019187945.tif 000002
【特許請求の範囲】
【請求項１】
液透過性のトップシートと、液不透過性のバックシートと、前記トップシート及び前記バックシートの間に配置される吸収層と、を有する、吸収性物品であって、
前記吸収層は、トップシート側に位置する第一の吸収体と、バックシート側に位置する第二の吸収体と、を含み、
前記第一の吸収体は、フラッフパルプと第一の高吸収性ポリマーのうち、少なくともフラッフパルプを含有する第一の吸収性コアと、前記第一の吸収性コアを覆う第一のキャリアシートと、を備えており、
前記第二の吸収体は、トウからなる繊維集合体と第二の高吸収性ポリマーを含有する第二の吸収性コアと、前記第二の吸収性コアを覆う第二のキャリアシートと、を備えており、
前記フラッフパルプの坪量は、８０ｇ／ｍ２以上１５０ｇ／ｍ２以下であり、
前記第一の高吸収性ポリマーの坪量は、前記フラッフパルプの坪量に対して０倍以上１．０倍以下であり、
前記トウからなる繊維集合体の坪量は、２０ｇ／ｍ２以上１００ｇ／ｍ２以下であり、
前記第二の高吸収性ポリマーの坪量は、６０ｇ／ｍ２以上５００ｇ／ｍ２以下であり、前記トウからなる繊維集合体の坪量に対して、０．６倍以上５．０倍以下であり、
前記第二の高吸収性ポリマーの、トウからなる繊維集合体への担持率は、７０％以上であり、
平面視において、前記第一の吸収体の長手方向各端部及び幅方向各端部は、それぞれ、前記第二の吸収体の長手方向各端部及び幅方向各端部に対して、重複するか又は内方に位置し、前記第一の吸収体の面積は、前記第二の吸収体の面積に対して、０．３倍以上１．０倍以下であり、
前記第一の吸収体の、長手方向の寸法をａ、幅方向の寸法をｂ、前記第二の吸収体の、長手方向の寸法をＡ、幅方向の寸法をＢ、とした場合において、ａ≦Ａ、ｂ≦Ｂ、かつａ／ｂ≧１を満たす、吸収性物品。
【請求項２】
前記トウからなる繊維集合体の構成繊維がセルロースアセテートからなる繊維である、請求項１に記載の吸収性物品。
【請求項３】
前記第一の吸収性コアが、前記第二の吸収性コアに含まれる前記トウからなる繊維集合体の構成繊維の配向方向に略平行に設けられた圧搾溝を少なくとも２本有する、請求項１又は２に記載の吸収性物品。
【発明の詳細な説明】
【技術分野】
【０００１】
本発明は、軽失禁パッド等の吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。また、吸収体としては、フラッフパルプと高吸収性ポリマー（Ｓｕｐｅｒ  Ａｂｓｏｒｂｅｎｔ  Ｐｏｌｙｍｅｒ；ＳＡＰとも称される）を含有する吸収性コアが、クレープ紙等のキャリアシートで包まれた態様が広く知られている。これらの吸収体は、フラッフパルプ短繊維及び高吸収性ポリマーを積繊ドラム上で積繊し、吸収性コアを作製した後に、キャリアシートに包まれることにより、形成される。
【０００３】
一方で、フラッフパルプ短繊維の積繊体の代わりにフィラメント状の長繊維ウェブで構成されたトウ（繊維束）を開繊したもの（以下、トウからなる繊維集合体と称する）を吸収体に用いることが提案されている。フラッフパルプの代わりにトウからなる繊維集合体を用いることにより、柔軟性及び可撓性に優れる吸収体を得ることができる。また、柔軟性及び可撓性に優れる吸収体を用いることにより、衣服の下に吸収性物品を着用していることを目立たなくすることができ、フィット性も向上する。
【０００４】
トウからなる繊維集合体を含有する吸収体を用いた吸収性物品として、例えば、特許文献１には、トウを開繊したフィラメントの集合体及び高吸収性ポリマー粒子を有し、股間部の両側部以外の部分である主吸収部分に高吸収性ポリマー粒子を有するとともに、股間部の両側部における高吸収性ポリマー粒子の坪量が主吸収部分よりも少ないことを特徴とする吸収体を用いた吸収性物品が開示されている。
【０００５】
また、特許文献２には、トウを開繊したフィラメントの集合体及び高吸収性ポリマー粒子を有する吸収体を含み、当該吸収体に対して裏面側に、フィラメントから抜け出た高吸収性ポリマーを保持する保持シートが設けられた吸収性物品が開示されている。
【先行技術文献】
【特許文献】
【０００６】
【特許文献１】特開２００７−２６８２１８号公報
【特許文献２】特開２００６−２８０５７９号公報
【発明の概要】
【発明が解決しようとする課題】
【０００７】
ここで、フラッフパルプの代わりにトウからなる繊維集合体を用いた場合には、高吸収性ポリマーの担持性が低下し、吸収体の下側に高吸収性ポリマーが脱落してしまい、着用時にざらざらとした違和感が生じ、柔軟性及び可撓性に優れるというトウからなる繊維集合体を用いる利点を活かせず、着用感を損ねる場合があった。また、高吸収性ポリマーが、トウからなる繊維集合体に均一に担持されないことにより、吸収性にばらつきが生じる場合があった。
また、トウからなる繊維集合体の親水性は低く、それ自体の吸収速度はフラッフパルプよりも劣ることから、一度に多量の尿が排泄された場合には、吸収しきれずに、漏れが発生する場合があった。
【０００８】
例えば、特許文献１のようにトウからなる繊維集合体を用いた吸収体において、股間部の両側部における高吸収性ポリマーの坪量を主吸収部分よりも少なくすることにより、身体側への追従性を高くし、フィット性を向上させている。そして、特許文献１には、各構成要素の坪量として、トウからなる繊維集合体の坪量が３０ｇ／ｍ２以上３００ｇ／ｍ２以下、股間部の両側部における高吸収性ポリマーの坪量が１００ｇ／ｍ２以下、吸収要素全体での平均は５０ｇ／ｍ２以上３５０ｇ／ｍ２以下であることが記載されているが、これらの範囲を満たしたとしても、トウからなる繊維集合体の坪量に対して、高吸収性ポリマーの坪量が大きすぎる場合には、トウからなる繊維集合体における高吸収性ポリマーの担持性が良好ではなく、着用時にざらざらとした違和感が生じることで着用感を損なう場合があり、また、吸収中に、水分を吸収して膨張した高吸収性ポリマーによるブロッキングが起こり、吸収速度が低下する場合があった。
【０００９】
また、特許文献２では、トウからなる繊維集合体を用いた吸収体とバックシートとの間に設けた保持シートが、トウからなる繊維集合体から脱落した高吸収性ポリマーを保持するが、脱落した高吸収性ポリマーが保持シートの表面上で偏在してしまい、吸収体内の位置により吸収性能が変化してしまい吸収速度の制御が困難となる場合があった。
【００１０】
したがって、本発明は以上の課題に鑑みてなされたものであり、本発明は、柔軟性及び可撓性に優れるというトウからなる繊維集合体を用いる利点を損なわずに、着用感を良好に維持し、かつ、吸収速度が良好な吸収性物品を提供することを目的とする。
【課題を解決するための手段】
【００１１】
本発明の発明者らは、上記課題に鑑み、鋭意研究を行った。その結果、フラッフパルプと高吸収性ポリマーのうち、少なくともフラッフパルプを含有する吸収性コアを備える上層吸収体と、トウからなる繊維集合体と高吸収性ポリマーを含有する吸収性コアを備える下層吸収体と、を用い、各吸収性コア中の各基材の坪量及びその比率を調整することにより、上記課題を解決できることを見出し、本発明を完成するに至った。具体的には、本発明は、以下のものを提供する。
【００１２】
（１）本発明の第１の態様は、液透過性のトップシートと、液不透過性のバックシートと、前記トップシート及び前記バックシートの間に配置される吸収層と、を有する、吸収性物品であって、前記吸収層は、トップシート側に位置する第一の吸収体と、バックシート側に位置する第二の吸収体と、を含み、前記第一の吸収体は、フラッフパルプと第一の高吸収性ポリマーのうち、少なくともフラッフパルプを含有する第一の吸収性コアと、前記第一の吸収性コアを覆う第一のキャリアシートと、を備えており、前記第二の吸収体は、トウからなる繊維集合体と第二の高吸収性ポリマーを含有する第二の吸収性コアと、前記第二の吸収性コアを覆う第二のキャリアシートと、を備えており、前記フラッフパルプの坪量は、８０ｇ／ｍ２以上１５０ｇ／ｍ２以下であり、前記第一の高吸収性ポリマーの坪量は、前記フラッフパルプの坪量に対して０倍以上１．０倍以下であり、前記トウからなる繊維集合体の坪量は、２０ｇ／ｍ２以上１００ｇ／ｍ２以下であり、前記第二の高吸収性ポリマーの坪量は、６０ｇ／ｍ２以上５００ｇ／ｍ２以下であり、前記トウからなる繊維集合体の坪量に対して、０．６倍以上５．０倍以下であり、前記第二の高吸収性ポリマーの、トウからなる繊維集合体への担持率は、７０％以上であり、平面視において、前記第一の吸収体の長手方向各端部及び幅方向各端部は、それぞれ、前記第二の吸収体の長手方向各端部及び幅方向各端部に対して、重複するか又は内方に位置し、前記第一の吸収体の面積は、前記第二の吸収体の面積に対して、０．３倍以上１．０倍以下であり、前記第一の吸収体の、長手方向の寸法をａ、幅方向の寸法をｂ、前記第二の吸収体の、長手方向の寸法をＡ、幅方向の寸法をＢ、とした場合において、ａ≦Ａ、ｂ≦Ｂ、かつａ／ｂ≧１を満たす、吸収性物品である。
【００１３】
（２）本発明の第２の態様は、（１）に記載の吸収性物品であって、前記トウからなる繊維集合体の構成繊維がセルロースアセテートからなる繊維であることを特徴とするものである。
【００１４】
（３）本発明の第３の態様は、（１）又は（２）に記載の吸収性物品であって、前記第一の吸収性コアが、前記第二の吸収性コアに含まれる前記トウからなる繊維集合体の構成繊維の配向方向に略平行に設けられた圧搾溝を少なくとも２本有することを特徴とするものである。
【発明の効果】
【００１５】
本発明によれば、柔軟性及び可撓性に優れるトウからなる繊維集合体を用いる利点を損なわずに、着用感を良好に維持し、かつ、吸収速度が良好な吸収性物品を提供することができる。
【図面の簡単な説明】
【００１６】
【図１】本発明の吸収性物品の平面図である。
【図２】図１のＸ１−Ｘ１断面図である。
【図３】第二の高吸収性ポリマーの、トウからなる繊維集合体への担持率を測定する方法を説明するために用いる図面である。
【発明を実施するための形態】
【００１７】
＜吸収性物品＞
本発明の実施形態に係る吸収性物品１としては、軽失禁パッドが例示されるが、本発明の吸収性物品１はこれに限定されるものではなく、軽失禁ライナー、生理用ナプキン、その他の吸収性物品であってもよい。
吸収性物品１は、図１に示すように、身体側表面に配置された液透過性のトップシート１０と、トップシート１０に対向し、衣類側表面に配置された液不透過性のバックシート２０と、トップシート１０及びバックシート２０の間に配置された吸収層と、を備える。これにより、吸収層は、トップシート１０とバックシート２０との間に挟まれた構造となっている。具体的には、吸収層は、トップシート１０側に位置する第一の吸収体３０と、バックシート２０側に位置する第二の吸収体４０と、を含む構造となっている。
本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書の説明において、身体側表面とは、各部材の表裏両面のうち、着用時に着用者の肌側に配される面を指し、衣類側表面とは、各部材の表裏両面のうち、着用時に着用者の肌側とは反対側に向けられる面を指す。
【００１８】
吸収性物品１の、長手方向の寸法は１００ｍｍ以上４００ｍｍ以下、幅方向の寸法は３０ｍｍ以上１１０ｍｍ以下、であることが好ましい。吸収性物品１の寸法を上記の範囲に調整することにより、軽失禁パッド、軽失禁ライナー、生理用ナプキン等に適した吸収性物品１を得ることができる。
【００１９】
［トップシート］
トップシート１０は、第一の吸収体３０と第二の吸収体４０に向けて体液を速やかに通過させるものであり、第一の吸収体３０と第二の吸収体４０を挟んで、バックシート２０に対向して配置される。トップシート１０は、肌と当接するシートとなることから、柔らかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート１０は、単層であっても、複数層積層していてもよく、ドライタッチ性を付与するために多数の透孔が形成されていてもよい。
【００２０】
また、上記のような性質を有する親水性不織布としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。
【００２１】
トップシート１０の坪量は、加工性及び強度の点から、１３ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００２２】
［バックシート］
本発明に用いるバックシート２０としては、液不透過性を有し、かつ、遮水性を有するシート材が用いられるが、ムレ防止のために透湿性を有していてもよい。このような特性を有するバックシート２０の材料としては、例えば、ポリエチレンシートやポリエチレンラミネート不織布等の厚みの薄いプラスチックシートを挙げることができる。なお、バックシート２０の坪量は、加工性及び強度の点から、１５ｇ／ｍ２以上６０ｇ／ｍ２以下であることが好ましい。
【００２３】
なお、図示しないが、バックシート２０の衣類側表面には、着用時に下着等に吸収性物品１を固着するための粘着剤層が設けられていてもよい。また、吸収性物品１が粘着剤層を有する場合、粘着剤層を保護するための剥離シートを有していてもよく、この剥離シートは、吸収性物品１の包装シートと部分的に接合されていてもよい。
【００２４】
［吸収層］
本発明の吸収性物品１に用いる吸収層は、図２に示すようにトップシート１０側に位置する第一の吸収体３０と、バックシート２０側に位置する第二の吸収体４０と、を含む。
そして、第一の吸収体３０は、フラッフパルプと第一の高吸収性ポリマーのうち、少なくともフラッフパルプを含有する第一の吸収性コア３１と、第一の吸収性コア３１を覆う第一のキャリアシート３２と、を備えており、第二の吸収体４０は、トウからなる繊維集合体と第二の高吸収性ポリマーを含有する第二の吸収性コア４１と、第二の吸収性コア４１を覆う第二のキャリアシート４２と、を備えている。
ここで、第一の吸収性コア３１は、少なくともフラッフパルプを含有するため、フラッフパルプの優れた液拡散性により、吸収速度に優れる。また、第二の吸収性コア４１は、トウからなる繊維集合体を含有するため、柔軟性及び可撓性に優れるが、尿の拡散性や吸収速度という点では、フラッフパルプを含有する第一の吸収性コア３１よりも劣る。したがって、本発明では、吸収層として、吸収速度に優れる第一の吸収体３０を上層に、柔軟性及び可撓性に優れる第二の吸収体４０を下層に、それぞれ用いることにより、柔軟性及び可撓性に優れるというトウからなる繊維集合体を用いる利点を損なわずに、着用感を良好に維持し、かつ、吸収速度が良好な吸収性物品１を提供することができる。
【００２５】
第一の吸収体３０と第二の吸収体４０は、平面視において、操業性の観点から、略正方形又は略長方形であることが好ましい。
平面視において、第一の吸収体３０の長手方向各端部及び幅方向各端部は、それぞれ、第二の吸収体４０の、長手方向各端部及び幅方向各端部と重複するか又は内方に位置し、第一の吸収体３０の面積は、第二の吸収体４０の面積に対して、０．３倍以上１．０倍以下である。これにより、柔軟性及び可撓性に優れるトウからなる繊維集合体を用いることによる利点を損なわずに、着用感を良好に維持し、かつ、吸収層全体としての吸収速度を向上させることができる。
換言すると、第二の吸収体４０の面積に対する第一の吸収体３０の面積が小さすぎると、吸収速度を向上させることができず、また、大きすぎると、柔軟性及び可撓性に優れるトウからなる繊維集合体を用いた第二の吸収体４０を設けた利点が損なわれ、吸収層全体としての、柔軟性及び可撓性が低下してしまう。そのため、本発明では、第二の吸収体４０の面積に対する第一の吸収体３０の面積を上記の範囲とした。
【００２６】
第一の吸収体３０と第二の吸収体４０は、できるだけ広い範囲で厚み方向に重複したほうが、吸収層全体としての吸収性を向上できるため、第一の吸収体３０と第二の吸収体４０の長手方向、幅方向の寸法がそれぞれ同一である場合には、平面視において、第一の吸収体３０の長手方向各端部及び幅方向各端部は、それぞれ、第二の吸収体４０の長手方向各端部及び幅方向各端部に対して重複するように配置する。
また、同様の理由から、第一の吸収体３０の長手方向、幅方向の寸法が、それぞれ、第二の吸収体４０の長手方向、幅方向の寸法よりも小さい場合には、平面視において、第一の吸収体３０の長手方向各端部及び幅方向各端部は、それぞれ、第二の吸収体４０の長手方向各端部及び幅方向各端部に対して内方に位置するように配する。さらに、この場合において、一度に多量の尿が排泄された場合には、排尿領域に位置する、吸収層の中心領域の吸収速度を高める必要があるため、平面視における、第一の吸収体３０の幅方向の一方端部から第二の吸収体４０の幅方向の一方端部までの距離と、第一の吸収体３０の幅方向の他方端部から第二の吸収体４０の幅方向の他方端部までの距離と、が等しくなるように、また、第一の吸収体３０の長手方向の一方端部から第二の吸収体４０の長手方向の一方端部までの距離と、第一の吸収体３０の長手方向の他方端部から第二の吸収体４０の長手方向の他方端部までの距離と、が等しくなるように配置することが好ましい。
【００２７】
また、第一の吸収体３０の、長手方向の寸法をａ、幅方向の寸法をｂ、第二の吸収体４０の、長手方向の寸法をＡ、幅方向の寸法をＢ、とした場合において、ａ≦Ａ、ｂ≦Ｂ、かつａ／ｂ≧１を満たす。この式を満たすことで、吸収層全体としての吸収性を向上させることができる。
【００２８】
（第一の吸収体）
上記のとおり、第一の吸収体３０は、フラッフパルプと第一の高吸収性ポリマーのうち、少なくともフラッフパルプを含有する第一の吸収性コア３１と、第一の吸収性コア３１を包む第一のキャリアシート３２と、を備えている。第一の吸収体３０の厚みは、吸収速度を良好にしつつ、着用感を損なわないように１．５ｍｍ以上３．０ｍｍ以下であることが好ましい。また、第一の吸収体３０の、長手方向の寸法は９５ｍｍ以上３９５ｍｍ以下、幅方向の寸法は２５ｍｍ以上１０５ｍｍ以下、であることが好ましい
【００２９】
フラッフパルプとしては、木材パルプ、合成繊維、ポリマー繊維、非木材パルプ等を綿状に解繊したものを挙げることができる。本発明において、第一の吸収性コア３１に含まれるフラッフパルプの坪量は、８０ｇ／ｍ２以上１５０ｇ／ｍ２以下である。第一の吸収性コア３１に含まれるフラッフパルプの坪量を上記の範囲にすることにより、第二の吸収体４０に、柔軟性及び可撓性に優れるトウからなる繊維集合体を用いることによる利点を損なわずに、着用感を良好に維持し、かつ、吸収層全体としての吸収速度を向上させることができる。換言すると、フラッフパルプの坪量が大きすぎると、吸収層全体としての、柔軟性及び可撓性が低下してしまう。
【００３０】
第一の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
また、本発明において、第一の高吸収性ポリマーの坪量は、フラッフパルプの坪量に対して０倍以上１．０倍以下である。高吸収性ポリマーの坪量が大きい場合には、吸収量が増加するが、高吸収性ポリマーは吸水すると膨潤する性質を有し、膨潤することによりブロッキングが起こり、第二の吸収体４０への拡散性を損ない、かつ、吸収層全体としての柔軟性及び可撓性が低下し、柔軟性及び可撓性に優れるトウからなる繊維集合体を用いることによる利点を損なうことになる。そのため、第一の高吸収性ポリマーの坪量とフラッフパルプの坪量との関係を上記の範囲とした。さらに、フラッフパルプの坪量に対して０倍以上０．２倍以下であることが好ましい。
【００３１】
第一のキャリアシート３２は、第一の吸収性コア３１の全体を包むように覆っていてもよいし、上下から挟持するように覆っていてもよい。第一のキャリアシート３２が第一の吸収性コア３１を覆うことにより、第一の吸収性コア３１の形状を維持することができ、加えて、第一の高吸収性ポリマーが第一の吸収体３０の外へ漏れることを防止することができる。第一のキャリアシート３２としては、ティシュ、吸収紙、スパンボンド不織布やエアレイド不織布等の親水性不織布を挙げることができ、液拡散性、保水性、コストの観点からティシュを用いることが好ましく、第一のキャリアシート３２の坪量は、強度と装着感の観点から、１０ｇ／ｍ２以上４０ｇ／ｍ２以下とすることが好ましく、１５ｇ／ｍ２以上２０ｇ／ｍ２以下とすることがより好ましい。
【００３２】
第一の吸収性コア３１が、後述する第二の吸収性コア４１に含まれるトウからなる繊維集合体の構成繊維の配向方向に略平行に設けられた圧搾溝を少なくとも２本有することが好ましい。第一の吸収性コア３１に上記の圧搾溝を設けることにより、吸収層全体としての吸収速度をより向上させることができる。
【００３３】
（第二の吸収体）
第二の吸収体４０は、トウからなる繊維集合体と第二の高吸収性ポリマーを含有する第二の吸収性コア４１と、第二の吸収性コア４１を包む第二のキャリアシート４２と、を備えている。なお、第二の高吸収性ポリマーは、第一の高吸収性ポリマーとして上記した材料から形成されたものを使用することができる。また、第二のキャリアシート４２については、第一のキャリアシート３２と同様の構成を用いることができる。第二の吸収体４０の厚みは、吸収速度を良好にしつつ、着用感を損なわないように１．５ｍｍ以上３．０ｍｍ以下であることが好ましい。また、第二の吸収体４０の、長手方向の寸法は９５ｍｍ以上３９５ｍｍ以下、幅方向の寸法は２５ｍｍ以上１０５ｍｍ以下、であることが好ましい。
【００３４】
トウからなる繊維集合体は、トウを開繊した長繊維フィラメントの集合体であり、長繊維の配向方向が揃うように収束されている。本発明においては、長繊維の配向方向が、吸収性物品１の長手方向となるように、配置することが好ましい。例えば、連続フィラメントのトウを開繊し、適当な長さに切断することで、長繊維の束から構成された繊維集合体を製造することができる。
【００３５】
トウからなる繊維集合体の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、第二の吸収体４０に柔軟性及び可撓性を付与できる、セルロースアセテートを用いることがより好ましい。
また、トウからなる繊維集合体の繊度は、特に限定されないが、第二の吸収性コア４１が所望の性能を発揮し、使用上十分な強度を有するようにする点から、例えば、０．１ｄｔｅｘ以上１０ｄｔｅｘ以下であればよい。
【００３６】
また、トウからなる繊維集合体において、繊維間の絡みが弱いため、絡みを融着して固定させる目的で、バインダーを用いることが好ましい。バインダーとしては、トリアセチン等を用いることができる。
【００３７】
トウからなる繊維集合体の坪量は、２０ｇ／ｍ２以上１００ｇ／ｍ２以下である。トウからなる繊維集合体の坪量が上記の範囲であることにより、吸収性を担保できる程度に第二の高吸収性ポリマーを担持でき、柔軟性及び可撓性に優れる第二の吸収体４０を得ることができる。トウからなる繊維集合体の坪量が１００ｇ／ｍ２を超えると、第二の吸収性４０の厚みを薄くする際の圧縮の度合いが大きくなり、トウからなる繊維集合体の本来の柔軟性及び可撓性が損なわれるため好ましくない。
【００３８】
また、第二の高吸収性ポリマーの坪量は、６０ｇ／ｍ２以上５００ｇ／ｍ２以下であり、第二の高吸収性ポリマーの坪量は、トウからなる繊維集合体の坪量に対して、０．６倍以上５．０倍以下である。これにより、必要な吸収量を確保できるとともに、トウからなる繊維集合体が第二の高吸収性ポリマーを良好に担持することができ、着用時にざらざらとした違和感が生じることによる着用感の低下を避けることができる。トウからなる繊維集合体の坪量に対する、第二の高吸収性ポリマーの坪量が、５．０倍を超えると、トウからなる繊維集合体が第二の高吸収性ポリマーを良好に担持することができなくなる。
また、第二の高吸収性ポリマーの坪量は、６０ｇ／ｍ２以上３００ｇ／ｍ２以下であり、第二の高吸収性ポリマーの坪量は、トウからなる繊維集合体の坪量に対して、０．６倍以上３．０倍以下であることが好ましい。
【００３９】
本発明において、第二の高吸収性ポリマーの、トウからなる繊維集合体への担持率は、７０％以上であるため、着用時にざらざらとした違和感が生じることによる着用感の低下を避けることができる。以下、第二の高吸収性ポリマーの、トウからなる繊維集合体への担持率の測定方法について、図３を用いて説明する。
【００４０】
（１）まず、第二の吸収性コア４１を作製する前の、トウからなる繊維集合体に第二の高吸収性ポリマーを担持したシート（縦３７０ｍｍ、横１１０ｍｍ）と試験後に脱落する第二の高吸収性ポリマーを回収する容器を用意する。
（２）当該シートの縦方向の他方端部が下になるように、縦方向の一方端部の横方向両端部（図３における符号ａ）を把持する。このとき、当該シートの縦方向の他方端部が、上記容器の底面から約３０ｃｍの位置となるように調整する。
（３）その後、下方向（図３におけるｂの矢印の方向）に約５ｃｍ変位させ、元の位置に戻す、という振るい操作を連続的に往復２０回行う。
（４）容器に脱落した第二の高吸収性ポリマーの重量を測定し、{（振るい前の上記シートに担持させた第二の高吸収性ポリマーの重量−脱落した第二の高吸収性ポリマーの重量）／振るい前の上記シートに担持させた第二の高吸収性ポリマーの重量}×１００の式で算出される数値を、第二の高吸収性ポリマーの、トウからなる繊維集合体への担持率（％）とする。
【００４１】
［立体ギャザー］
吸収性物品１の身体側表面には、立体ギャザーが設けられていることが好ましい（図示しない）。この立体ギャザーは、トップシート１０とともに体液の閉じ込め空間を形成し、体液の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００４２】
＜吸収性物品の製造方法＞
吸収性物品１の製造方法としては、特に限定はなく、従来公知の方法を採用することができ、例えば、衣類側から、バックシート２０、第二の吸収体４０、第一の吸収体３０、トップシート１０の順に積層し、トップシート１０とバックシート２０とを一部又は全周に亘ってホットメルト接着剤やヒートエンボス、超音波エンボス、高周波エンボス等を用いて固定することで製造することができる。そして、これを包装体に個別包装した後、長手方向に３つ折りにして折り畳めばよい。
【００４３】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００４４】
以下、本発明について、実施例を挙げて詳細に説明する。なお、本発明は、以下に示す実施例に何ら限定されるものではない。
【００４５】
＜実施例１から１０、比較例１から７＞
下記の吸収体を用いた吸収性物品を作製し、吸収速度、柔軟性・可撓性、ざらざらとした違和感のなさ（第二の吸収体の高吸収性ポリマーの担持性）について、評価した。
【００４６】
＜吸収体の作製＞
（第一の吸収体）
表１に記載の坪量となるように、解繊したフラッフパルプと高吸収性ポリマーを積繊して第一の吸収性コアを作製した。次に、第一の吸収性コアを第一のキャリアシート（ティシュ、坪量２０ｇ／ｍ２）で全体を包むように覆って、長手方向及び幅方向の寸法が表１に記載の数値となる、平面視の形状が略長方形の第一の吸収体を得た。
（第二の吸収体）
まず、表１に記載の坪量となるように、トウからなる繊維集合体（構成繊維：セルロースアセテートからなる繊維）と第二の高吸収性ポリマーを積繊して第二の吸収性コアを作製した。次に、第二の吸収性コアを第二のキャリアシート（ティシュ、坪量２０ｇ／ｍ２）で全体を包むように覆って、長手方向及び幅方向の寸法が表１に記載の数値となる、平面視の形状が略長方形の第二の吸収体を得た。
【００４７】
＜吸収性物品の作製＞
衣類側から、バックシート、第二の吸収体、第一の吸収体、トップシートの順に積層し、トップシートとバックシートとを全周に亘ってホットメルト接着剤で固定し、長手方向の寸法が３７５ｍｍ、幅方向の寸法が１１５ｍｍ、である吸収性物品を得た。なお、比較例１の吸収性物品については、第一の吸収体を設けずに積層した。また、トップシートとしては、親水性エアスルー不織布（坪量２０ｇ／ｍ２）を用い、バックシートとしては、非通気性ポリエチレンシート（坪量２０ｇ／ｍ２）を用いた。
なお、第一の吸収体と第二の吸収体の長手方向、幅方向の寸法がそれぞれ同一である場合には、平面視において、第一の吸収体の長手方向各端部及び幅方向各端部は、それぞれ、第二の吸収体の長手方向各端部及び幅方向各端部に対して重複するように配置した。
また、第一の吸収体の長手方向、幅方向の寸法が、それぞれ、第二の吸収体の長手方向、幅方向の寸法よりも小さい場合には、平面視において、第一の吸収体の長手方向各端部及び幅方向各端部は、それぞれ、第二の吸収体の長手方向各端部及び幅方向各端部に対して内方に位置するように配置した。この場合において、平面視における、第一の吸収体の幅方向の一方端部から第二の吸収体の幅方向の一方端部までの距離と、第一の吸収体の幅方向の他方端部から第二の吸収体の幅方向の他方端部までの距離と、が等しくなるように、また、第一の吸収体の長手方向の一方端部から第二の吸収体の長手方向の一方端部までの距離と、第一の吸収体の長手方向の他方端部から第二の吸収体の長手方向の他方端部までの距離と、が等しくなるように、配置した。
【００４８】
（第二の高吸収性ポリマーの担持率）
各実施例・各比較例の第二の吸収性コアを作製する前の、トウからなる繊維集合体に第二の高吸収性ポリマーを担持したシート（縦３７０ｍｍ、横１１０ｍｍ）を別途用意し、前述した方法により、第二の高吸収性ポリマーの、トウからなる繊維集合体への担持率を測定し、結果を表１に示した。
【００４９】
（吸収速度）
長方形（長手方向の寸法１４０ｍｍ、幅方向の寸法１００ｍｍ）の板の中心部上に、内径３６ｍｍの穴が開いた円筒を取り付けた、１６５ｇの測定治具（ただし、当該穴は当該板を貫通している）を、吸収性物品の長手方向・幅方向の中央部の上に置き、さらに、上記の板の長手方向両端部に、それぞれ６８７ｇの重りを載せた。そして、円筒の上部から０．９％生理食塩水を１５０ｍｌ注入し、生理食塩水が吸収性物品に接触した時点を開始点、測定治具の中央円内の円周に、液体が完全に吸い込まれる時点を終了点として時間を計測した。数値が小さいほど吸収性能に優れることを示し、以下の基準により評価し、結果を表１に示した。◎および〇を合格とする。
◎：吸収速度が７０秒未満のとき
○：吸収速度が７０秒以上９８秒未満のとき
×：吸収速度が９８秒以上のとき
【００５０】
（柔軟性・可撓性）
２０名のパネラーにより、各吸収性物品を触ったときの、柔軟性・可撓性について、「柔軟性・可撓性が優れている」又は「柔軟性・可撓性が劣っている」の選択で評価を行い、以下の基準により評価をした。その結果を表１に示した。なお、◎及び○を合格とした。
◎：「柔軟性・可撓性が優れている」が１６人以上２０人以下のとき
○：「柔軟性・可撓性が優れている」が１１人以上１５人以下のとき
△：「柔軟性・可撓性が優れている」が６人以上１０人以下のとき
×：「柔軟性・可撓性が優れている」がいないか、１人以上５人以下のとき
【００５１】
（ざらざらとした違和感のなさ（着用感）：第二の吸収体の高吸収性ポリマーの担持性）
２０名のパネラーにより、各吸収性物品のバックシートを触ったときの、ざらざら感（違和感）について、「ざらざらとした違和感がない」又は「ざらざらとした違和感がある」の選択で評価を行い、以下の基準により評価をした。その結果を表１に示した。なお、◎及び○を合格とした。
◎：「ざらざらとした違和感がない」が１６人以上２０人以下のとき
○：「ざらざらとした違和感がない」が１１人以上１５人以下のとき
△：「ざらざらとした違和感がない」が６人以上１０人以下のとき
×：「ざらざらとした違和感がない」がいないか、１人以上５人以下のとき
【００５２】
【表１】
2019187945.tif 000003
【００５３】
以上の結果から、本発明によれば、柔軟性及び可撓性に優れるトウからなる繊維集合体を用いる利点を損なわずに、着用感を良好に維持し、かつ、吸収速度が良好な吸収性物品を提供することができることが分かる。
【符号の説明】
【００５４】
１      吸収性物品
１０    トップシート
２０    バックシート
３０    第一の吸収体
３１    第一の吸収性コア
３２    第一のキャリアシート
４０    第二の吸収体
４１    第二の吸収性コア
４２    第二のキャリアシート
【図１】
2019187945.tif 000004
【図２】
2019187945.tif 000005
【図３】
2019187945.tif 000006